(57)【要約】【課題】使用時に、収納箱から目的の包装袋を取出し易く、包装袋の開封がし易く、内容物が取出し易く、使用後の廃棄処理がし易い易カット性包装袋を提供する。【解決手段】カット予定位置に横方向のミシン目を施した基材フィルムと、易カット性のシーラントフィルムとを貼り合わせた積層フィルムからなるピロー包装袋であり、裏面側で、積層フィルムの左側縁部と右側縁部のシーラントフィルム面とを合わせて熱融着して背シール部を形成し、上端縁部を熱融着してトップシール部を形成し、下端縁部を熱融着してボトムシール部を形成し、トップシール部とボトムシール部との間に、左端から右端にわたって熱融着して中間シール部を形成し、トップシール部と中間シール部間に、内容物を表示する内容物表示部を設け、中間シール部とボトムシール部との間に固形内容物を収納する内容物収納部を設け、中間シール部の上端又は下端近傍位置で折り曲げ可能にする。【選択図】図１
2007210633.tif 000002
【特許請求の範囲】
【請求項１】
カット予定位置に横方向のミシン目を施した外側の基材フィルムと、内側の易カット性のシーラントフィルムとを貼り合わせた積層フィルムからなるピロー包装袋であって、ピロー包装袋の裏面側で、積層フィルムの左側縁部のシーラントフィルム面と右側縁部のシーラントフィルム面とを合わせて熱融着して背シール部を形成したのち、上端縁部を熱融着してトップシール部を形成し、下端縁部を熱融着してボトムシール部を形成し、かつトップシール部とボトムシール部との間の所定位置に、左端から右端にわたって熱融着して中間シール部を形成し、トップシール部と中間シール部間に、外側にラベル又は印刷で内容物を表示する内容物表示部を設け、中間シール部とボトムシール部との間に固形内容物を収納する内容物収納部を設け、中間シール部の上端又は下端近傍位置で折り曲げ可能なことを特徴とする易カット性包装袋。
【請求項２】
外側の横方向易カット性の基材フィルムと内側の易カット性のシーラントフィルムとを貼り合わせた積層フィルムからなるピロー包装袋であって、積層フィルムの左端縁部及び右側縁部の背シール部予定位置のそれぞれに、上端から下端に至る縦のキズ孔あけ加工を施し、ピロー包装袋の裏面側で、積層フィルムの左側縁部のシーラントフィルム面と右側縁部のシーラントフィルム面とを合わせて熱融着して背シール部を形成したのち、上端縁部を熱融着してトップシール部を形成し、下端縁部を熱融着してボトムシール部を形成し、かつトップシール部とボトムシール部との間の所定位置に、左端から右端にわたって熱融着して中間シール部を形成し、トップシール部と中間シール部間に、外側にラベル又は印刷で内容物を表示する内容物表示部を設け、中間シール部とボトムシール部との間に固形内容物を収納する内容物収納部を設け、中間シール部の上端又は下端近傍位置で折り曲げ可能なことを特徴とする易カット性包装袋。
【請求項３】
外側の横方向易カット性の基材フィルムと内側の易カット性のシーラントフィルムとを貼り合わせた積層フィルムからなるピロー包装袋であって、積層フィルムの左端縁部及び右側縁部の背シール部予定位置のそれぞれに、上端から下端に至る縦のキズ孔あけ加工を施し、ピロー包装袋の裏面側で、積層フィルムの左側縁部のシーラントフィルム面と右側縁部のシーラントフィルム面とを合わせて熱融着して背シール部を形成したのち、上端縁部を熱融着してトップシール部を形成し、下端縁部を熱融着してボトムシール部を形成し、かつトップシール部とボトムシール部との間の所定位置に、左端から右端にわたって又は左端と右端及び背シール位置を熱融着して変形中間シール部を形成し、この変形中間シール部の左端及び右端に横方向の開封用ノッチを入れ、トップシール部と変形中間シール部間に、外側にラベル又は印刷で内容物を表示する内容物表示部を設け、変形中間シール部とボトムシール部との間に固形内容物を収納する内容物収納部を設け、変形中間シール部の上端又は下端近傍位置で折り曲げ可能なことを特徴とする易カット性包装袋。
【請求項４】
外側の横方向易カット性の基材フィルムと内側の易カット性のシーラントフィルムとを貼り合わせた積層フィルムからなるピロー包装袋であって、ピロー包装袋の裏面側で、積層フィルムの左側縁部のシーラントフィルム面と右側縁部のシーラントフィルム面とを合わせて熱融着して背シール部を形成したのち、この背シール部に上端から下端に至る縦のキズ孔あけ加工を施して、上端縁部を熱融着してトップシール部を形成し、下端縁部を熱融着してボトムシール部を形成し、かつトップシール部とボトムシール部との間の所定位置に、左端から右端にわたって又は左端と右端及び背シール位置を並行に熱融着して変形中間シール部を形成し、この変形中間シール部の左端及び右端に横方向の開封用ノッチを入れ、トップシール部と変形中間シール部間に、外側にラベル又は印刷で内容物を表示する内容物表示部を設け、変形中間シール部とボトムシール部との間に固形内容物を収納する内容物収納部を設け、変形中間シール部の上端又は下端近傍位置で折り曲げ可能なことを特徴とする易カット性包装袋。
【請求項５】
外側の横方向易カット性の基材フィルムと内側の易カット性のシーラントフィルムとを貼り合わせた積層フィルムからなるピロー包装袋であって、積層フィルムの左端縁部及び右側縁部のサイドシール予定位置のそれぞれに、上端から下端に至る縦のキズ孔あけ加工を施し、ピロー包装袋の片側で、積層フィルムの左側縁部のシーラントフィルム面と右側縁部のシーラントフィルム面とを合わせて熱融着してサイドシール部を形成したのち、上端縁部を熱融着してトップシール部を形成し、下端縁部を熱融着してボトムシール部を形成し、かつトップシール部とボトムシール部との間の所定位置に、横方向に又は部分的に横方向並行に熱融着して中間シール部を形成し、トップシール部と中間シール部間に、外側にラベル又は印刷で内容物を表示する内容物表示部を設け、中間シール部とボトムシール部との間に固形内容物を収納する内容物収納部を設け、中間シール部の上端又は下端近傍位置で折り曲げ可能なことを特徴とする易カット性包装袋。
【請求項６】
外側の横方向易カット性の基材フィルムと内側の易カット性のシーラントフィルムとを貼り合わせた積層フィルムからなるピロー包装袋であって、ピロー包装袋の片側で、積層フィルムの左側縁部のシーラントフィルム面と右側縁部のシーラントフィルム面とを合わせて熱融着してサイドシール部を形成したのち、このサイドシール部に上端から下端に至る縦のキズ孔あけ加工を施して、上端縁部を熱融着してトップシール部を形成し、下端縁部を熱融着してボトムシール部を形成し、かつトップシール部とボトムシール部との間の所定位置に、横方向に又は部分的に横方向並行に熱融着して中間シール部を形成し、トップシール部と中間シール部間に、外側にラベル又は印刷で内容物を表示する内容物表示部を設け、中間シール部とボトムシール部との間に固形内容物を収納する内容物収納部を設け、中間シール部の上端又は下端近傍位置で折り曲げ可能なことを特徴とする易カット性包装袋。
【発明の詳細な説明】
【技術分野】
【０００１】
本発明は、医療品、玩具、機械部品、事務用品などの固形内容物を収納し、使用するときに、容易に開封して収納する内容物を取り出せる易カット性包装袋に関するものである。
【背景技術】
【０００２】
従来、固形内容物を収納する容器としては、ブリスターパックが広く使用されていた。この容器は、硬質プラスチック製の容器本体に固形内容物を収納し、使用するときに、開封し易くするために、イージーピール性の蓋材で容器本体を封止するものであった。また、柔軟なピロー包装袋に固形内容物を収納して封止し、使用するときに、開封し易くするために、包装袋の背シール部や片方のサイドシール部に、縦方向（材質の流れ方向）のキズ加工をエンドレスに施したものであった。
【発明の開示】
【発明が解決しようとする課題】
【０００３】
しかしながら、前者のブリスターパックの場合には、包装材の容積が大きいため、使用した後に廃棄処理するときに、廃棄物が嵩張ると言う問題点があった。また、後者のピロー包装袋の場合には、サイドシール部にキズ加工が施されているために、流通・保管時に、不意な外的衝撃によりサイドシール部から袋が破れてしまう危険性が高かった。また、収納する縦方向の固形内容物に対して、横方向に包装袋を開封しなければ、中身が飛び出してしまう可能性があるが、包装袋が横方向へは直線カット性がないため、サイドシール部のキズ加工部から横方向へ開封しようとしても、途中から縦方向へ引き裂かれてしまう問題があった。また、ブリスターパック、ピロー包装袋のいずれも、流通・保管時は、積み重ねられて箱に入れられているため、一つ一つ取り出して中身を確認する必要があった。
【０００４】
本発明は、上述の従来の固形内容物を収納する容器の問題点を解決したものであり、使用時に、収納箱から目的の包装袋を取出し易く、包装袋の開封がし易く、また、内容物が取出し易く、使用後の廃棄処理がし易い易カット性包装袋を提供するものである。
【課題を解決するための手段】
【０００５】
すなわち、本発明の第１の発明は、カット予定位置に横方向のミシン目を施した外側の基材フィルムと、内側の易カット性のシーラントフィルムとを貼り合わせた積層フィルムからなるピロー包装袋であって、ピロー包装袋の裏面側で、積層フィルムの左側縁部のシーラントフィルム面と右側縁部のシーラントフィルム面とを合わせて熱融着して背シール部を形成したのち、上端縁部を熱融着してトップシール部を形成し、下端縁部を熱融着してボトムシール部を形成し、かつトップシール部とボトムシール部との間の所定位置に、左端から右端にわたって熱融着して中間シール部を形成し、トップシール部と中間シール部間に、外側にラベル又は印刷で内容物を表示する内容物表示部を設け、中間シール部とボトムシール部との間に固形内容物を収納する内容物収納部を設け、中間シール部の上端又は下端近傍位置で折り曲げ可能なことを特徴とする易カット性包装袋である。
【０００６】
次に、本発明の第２の発明は、外側の横方向易カット性の基材フィルムと内側の易カット性のシーラントフィルムとを貼り合わせた積層フィルムからなるピロー包装袋であって、積層フィルムの左端縁部及び右側縁部の背シール部予定位置のそれぞれに、上端から下端に至る縦のキズ孔あけ加工を施し、ピロー包装袋の裏面側で、積層フィルムの左側縁部のシーラントフィルム面と右側縁部のシーラントフィルム面とを合わせて熱融着して背シ
ール部を形成したのち、上端縁部を熱融着してトップシール部を形成し、下端縁部を熱融着してボトムシール部を形成し、かつトップシール部とボトムシール部との間の所定位置に、左端から右端にわたって熱融着して中間シール部を形成し、トップシール部と中間シール部間に、外側にラベル又は印刷で内容物を表示する内容物表示部を設け、中間シール部とボトムシール部との間に固形内容物を収納する内容物収納部を設け、中間シール部の上端又は下端近傍位置で折り曲げ可能なことを特徴とする易カット性包装袋である。
【０００７】
次に、本発明の第３の発明は、外側の横方向易カット性の基材フィルムと内側の易カット性のシーラントフィルムとを貼り合わせた積層フィルムからなるピロー包装袋であって、積層フィルムの左端縁部及び右側縁部の背シール部予定位置のそれぞれに、上端から下端に至る縦のキズ孔あけ加工を施し、ピロー包装袋の裏面側で、積層フィルムの左側縁部のシーラントフィルム面と右側縁部のシーラントフィルム面とを合わせて熱融着して背シール部を形成したのち、上端縁部を熱融着してトップシール部を形成し、下端縁部を熱融着してボトムシール部を形成し、かつトップシール部とボトムシール部との間の所定位置に、左端から右端にわたって又は左端と右端及び背シール位置を熱融着して変形中間シール部を形成し、この変形中間シール部の左端及び右端に横方向の開封用ノッチを入れ、トップシール部と変形中間シール部間に、外側にラベル又は印刷で内容物を表示する内容物表示部を設け、変形中間シール部とボトムシール部との間に固形内容物を収納する内容物収納部を設け、変形中間シール部の上端又は下端近傍位置で折り曲げ可能なことを特徴とする易カット性包装袋である。
【０００８】
次に、本発明の第４の発明は、外側の横方向易カット性の基材フィルムと内側の易カット性のシーラントフィルムとを貼り合わせた積層フィルムからなるピロー包装袋であって、ピロー包装袋の裏面側で、積層フィルムの左側縁部のシーラントフィルム面と右側縁部のシーラントフィルム面とを合わせて熱融着して背シール部を形成したのち、この背シール部に上端から下端に至る縦のキズ孔あけ加工を施して、上端縁部を熱融着してトップシール部を形成し、下端縁部を熱融着してボトムシール部を形成し、かつトップシール部とボトムシール部との間の所定位置に、左端から右端にわたって又は左端と右端及び背シール位置を並行に熱融着して変形中間シール部を形成し、この変形中間シール部の左端及び右端に横方向の開封用ノッチを入れ、トップシール部と変形中間シール部間に、外側にラベル又は印刷で内容物を表示する内容物表示部を設け、変形中間シール部とボトムシール部との間に固形内容物を収納する内容物収納部を設け、変形中間シール部の上端又は下端近傍位置で折り曲げ可能なことを特徴とする易カット性包装袋である。
【０００９】
次に、本発明の第５の発明は、外側の横方向易カット性の基材フィルムと内側の易カット性のシーラントフィルムとを貼り合わせた積層フィルムからなるピロー包装袋であって、積層フィルムの左端縁部及び右側縁部のサイドシール予定位置のそれぞれに、上端から下端に至る縦のキズ孔あけ加工を施し、ピロー包装袋の片側で、積層フィルムの左側縁部のシーラントフィルム面と右側縁部のシーラントフィルム面とを合わせて熱融着してサイドシール部を形成したのち、上端縁部を熱融着してトップシール部を形成し、下端縁部を熱融着してボトムシール部を形成し、かつトップシール部とボトムシール部との間の所定位置に、横方向に又は部分的に横方向並行に熱融着して中間シール部を形成し、トップシール部と中間シール部間に、外側にラベル又は印刷で内容物を表示する内容物表示部を設け、中間シール部とボトムシール部との間に固形内容物を収納する内容物収納部を設け、中間シール部の上端又は下端近傍位置で折り曲げ可能なことを特徴とする易カット性包装袋である。
【００１０】
そして、本発明の第６の発明は、外側の横方向易カット性の基材フィルムと内側の易カット性のシーラントフィルムとを貼り合わせた積層フィルムからなるピロー包装袋であって、ピロー包装袋の片側で、積層フィルムの左側縁部のシーラントフィルム面と右側縁部
のシーラントフィルム面とを合わせて熱融着してサイドシール部を形成したのち、このサイドシール部に上端から下端に至る縦のキズ孔あけ加工を施して、上端縁部を熱融着してトップシール部を形成し、下端縁部を熱融着してボトムシール部を形成し、かつトップシール部とボトムシール部との間の所定位置に、横方向に又は部分的に横方向並行に熱融着して中間シール部を形成し、トップシール部と中間シール部間に、外側にラベル又は印刷で内容物を表示する内容物表示部を設け、中間シール部とボトムシール部との間に固形内容物を収納する内容物収納部を設け、中間シール部の上端又は下端近傍位置で折り曲げ可能なことを特徴とする易カット性包装袋である。
【発明の効果】
【００１１】
本発明の易カット性包装袋は、トップシール部、中間シール部、ボトムシール部が施されており、トップシール部と中間シール部間に、外側にラベル又は印刷で内容物を表示する内容物表示部を設けられ、中間シール部とボトムシール部との間に内容物収納部が設けられており、そして、中間シール部の上端又は下端近傍位置で折り曲げが可能であるため、収納箱に複数の包装袋を挿入するときに、内容物表示部が、蓋を開けたときに見えるように折り曲げて、包装袋を挿入して置くと、使用するときに、目的の包装袋を収納箱から取り出し易い。
【００１２】
また、本発明の易カット性包装袋は、カット予定位置に横方向のミシン目を施した外側の基材フィルムと内側の易カット性のシーラントフィルムとを貼り合わせた積層フィルム又は外側の横方向易カット性の基材フィルムと内側の易カット性のシーラントフィルムとを貼り合わせた積層フィルムから作製されているため、縦方向しか開封できなかった従来のピロー包装袋とは異なり、横方向に開封できるので、開封したときに中身が飛び出すことがなく、包装袋の開封がし易く、また、内容物を開封した包装体から取出し易い。
【００１３】
また、本発明の易カット性包装袋は、積層フィルムから作製されているため、容器本体が硬質プラスチックである従来のブリスターパックとは異なり、包装材の容積が小さいため、使用後の廃棄処理がし易い。
【発明を実施するための最良の形態】
【００１４】
次に、本発明の易カット性包装袋の実施の形態について、図を用いて詳細に説明する。
【００１５】
実施形態１の図１に示す易カット性包装袋（１００）は、カット予定位置に横方向のミシン目（１０６）を施した外側の基材フィルムと内側の易カット性のシーラントフィルムとを貼り合わせた積層フィルムからなるピロー包装袋であり、包装袋の裏面側で、積層フィルムの左側縁部のシーラントフィルム面と右側縁部のシーラントフィルム面とを合わせて熱融着して背シール部（１０４）を形成し、上端縁部を熱融着してトップシール部（１０１）を形成し、下端縁部を熱融着してボトムシール部（１０３）を形成し、トップシール部とボトムシール部との間の所定位置に、左端から右端にわたって熱融着して中間シール部（１０２）を形成するものである。そして、トップシール部と中間シール部間に、外側にラベル又は印刷（１２１）で内容物を表示する内容物表示部（１２０）を設け、中間シール部とボトムシール部との間に固形内容物（２００）を収納する内容物収納部（１１０）を設け、中間シール部の上端又は下端近傍位置で折り曲げ可能に設けるものである。
【００１６】
基材フィルムとしては、例えば、２０μｍ厚の二軸延伸ポリプロピレンフィルムが用いられ、易カット性のシーラントフィルムとしては、５０μｍ厚の易カット性ポリエチレンフィルムが用いられる。ミシン目（１０６）は、図１に示すように、中間シール部（１０２）とボトムシール部（１０３）の間に施し、開封するときに、ミシン目に沿って包装袋を開封し、収納する内容物を取り出すものである。なお、ミシン目は、基材フィルムを印刷する際にインラインで加工するものである。
【００１７】
実施形態２の図２に示す易カット性包装袋（１００）は、外側の横方向易カット性の基材フィルムと内側の易カット性のシーラントフィルムとを貼り合わせた積層フィルムからなるピロー包装袋であり、積層フィルムの左端縁部及び右側縁部の背シール部予定位置のそれぞれに、上端から下端に至る縦のキズ孔あけ加工を施し、包装袋の裏面側で、積層フィルムの左側縁部のシーラントフィルム面と右側縁部のシーラントフィルム面とを合わせて熱融着して背シール部（１０４）を形成し、上端縁部を熱融着してトップシール部（１０１）を形成し、下端縁部を熱融着してボトムシール部（１０３）を形成し、トップシール部とボトムシール部との間の所定位置に、左端から右端にわたって熱融着して中間シール部（１０２）を形成するものである。そして、トップシール部と中間シール部間に、外側にラベル又は印刷（１２１）で内容物を表示する内容物表示部（１２０）を設け、中間シール部とボトムシール部との間に固形内容物（２００）を収納する内容物収納部（１１０）を設け、中間シール部の上端又は下端近傍位置で折り曲げ可能に設けるものである。
【００１８】
基材フィルムとしては、例えば、厚み２５μｍの横方向易カット性の二軸延伸ポリプロピレンフィルムが用いられ、易カット性のシーラントフィルムとしては、５０μｍ厚の易カット性ポリエチレンフィルムが用いられる。背シールの縦のキズ孔あけ加工（マジックカット）は、積層フィルムをスリットする際に、スリット後のフィルムの両端に位置する部分に加工するものである。
【００１９】
実施形態３の図３に示す易カット性包装袋（１００）は、外側の横方向易カット性の基材フィルムと内側の易カット性のシーラントフィルムとを貼り合わせた積層フィルムからなるピロー包装袋であり、積層フィルムの左端縁部及び右側縁部の背シール部予定位置のそれぞれに、上端から下端に至る縦のキズ孔あけ加工を施し、包装袋の裏面側で、積層フィルムの左側縁部のシーラントフィルム面と右側縁部のシーラントフィルム面とを合わせて熱融着して背シール部（１０４）を形成し、上端縁部を熱融着してトップシール部（１０１）を形成し、下端縁部を熱融着してボトムシール部（１０３）を形成し、トップシール部とボトムシール部との間の所定位置に、左端から右端にわたって又は左端と右端及び背シール位置を熱融着して変形中間シール部（１０２）を形成し、この変形中間シール部の左端及び右端に横方向の開封用ノッチ（１０７）を形成するものである。そして、トップシール部と変形中間シール部間に、外側にラベル又は印刷（１２１）で内容物を表示する内容物表示部（１２０）を設け、変形中間シール部とボトムシール部との間に固形内容物（２００）を収納する内容物収納部（１１０）を設け、変形中間シール部の上端又は下端近傍位置で折り曲げ可能に設けるものである。
【００２０】
基材フィルムとしては、例えば、厚み２５μｍの横方向易カット性の二軸延伸ポリプロピレンフィルムが用いられ、易カット性のシーラントフィルムとしては、５０μｍ厚の易カット性ポリエチレンフィルムが用いられる。背シールの縦のキズ孔あけ加工は、表フィルムにのみにキズ加工する場合（例ファンシーカット）と、積層フィルムにした後に、キズ加工（例マジックカット）するものとがある。シ−ル巾やキズ加工巾によって、一つの方式で加工する場合と二つの方式で加工する場合とがある。また、変形中間シール部の左端及び右端に横方向の開封用ノッチから横方向へ包装袋を開封したときに、背シール部分でも簡単に開封出来るように、背シール部と袋本体とが熱融着されている。このため、熱融着する部分に、ヒートシールニスを塗布して置き、変形中間シール部を熱融着させるときに、同時に熱融着するものである。また、開封用ノッチは、製袋するときにインラインで施すものである。なお、本易カット性包装袋は、従来のピロー包装袋とは異なり、両側から開封することが可能であり、また、開封口が変形シール部の開封用ノッチからだけに限定されるため、輸送時の破袋の可能性を少なく抑えることが出来る。
【００２１】
実施形態４の易カット性包装袋は、外側の横方向易カット性の基材フィルムと内側の易
カット性のシーラントフィルムとを貼り合わせた積層フィルムからなるピロー包装袋であり、ピロー包装袋の裏面側で、積層フィルムの左側縁部のシーラントフィルム面と右側縁部のシーラントフィルム面とを合わせて熱融着して背シール部を形成したのち、この背シール部に上端から下端に至る縦のキズ孔あけ加工を施して、積層フィルムの左端縁部及び右側縁部の背シール部予定位置のそれぞれに、上端から下端に至る縦のキズ孔あけ加工を施し、上端縁部を熱融着してトップシール部を形成し、下端縁部を熱融着してボトムシール部を形成し、トップシール部とボトムシール部との間の所定位置に、左端から右端にわたって又は左端と右端及び背シール位置を熱融着して変形中間シール部を形成し、この変形中間シール部の左端及び右端に横方向の開封用ノッチを形成するものである。そして、トップシール部と変形中間シール部間に、外側にラベル又は印刷で内容物を表示する内容物表示部を設け、変形中間シール部とボトムシール部との間に固形内容物を収納する内容物収納部を設け、変形中間シール部の上端又は下端近傍位置で折り曲げ可能に設けるものである。
【００２２】
基材フィルム、易カット性のシーラントフィルム、背シールの縦のキズ孔あけ加工及び変形中間シール部については、実施形態３の易カット性包装袋と同様である。
【００２３】
実施形態５の図４に示す易カット性包装袋（１００）は、外側の横方向易カット性の基材フィルムと内側の易カット性のシーラントフィルムとを貼り合わせた積層フィルムからなるピロー包装袋であり、積層フィルムの左端縁部及び右側縁部のサイドシール予定位置のそれぞれに、上端から下端に至る縦のキズ孔あけ加工を施し、ピロー包装袋の片側で、積層フィルムの左側縁部のシーラントフィルム面と右側縁部のシーラントフィルム面とを合わせて熱融着してサイドシール部（１０５）を形成したのち、上端縁部を熱融着してトップシール部（１０１）を形成し、下端縁部を熱融着してボトムシール部（１０３）を形成し、トップシール部とボトムシール部との間の所定位置に、図４に示すように、横方向に、又は、図５に示すように、部分的に横方向並行に熱融着して中間シール部（１０２）を形成するものである。そして、トップシール部と中間シール部間に、外側にラベル又は印刷（１２１）で内容物を表示する内容物表示部（１２０）を設け、中間シール部とボトムシール部との間に固形内容物（２００）を収納する内容物収納部（１１０）を設け、能に設けるものである。
【００２４】
基材フィルムとしては、例えば、厚み２５μｍの横方向易カット性の二軸延伸ポリプロピレンフィルムが用いられ、易カット性のシーラントフィルムとしては、５０μｍ厚の易カット性ポリエチレンフィルムが用いられる。サイドシールの縦のキズ孔あけ加工は、表フィルムにのみにキズ加工する場合（例ファンシーカット）と、積層フィルムにした後に、キズ加工（例マジックカット）するものとがある。シ−ル巾やキズ加工巾によって、一つの方式で加工する場合と二つの方式で加工する場合とがある。なお、本易カット性包装袋は、背シールがないため、中間シール部の上端又は下端近傍位置で折り曲げ易い。
【００２５】
実施形態６の易カット性包装袋は、外側の横方向易カット性の基材フィルムと内側の易カット性のシーラントフィルムとを貼り合わせた積層フィルムからなるピロー包装袋であり、ピロー包装袋の片側で、積層フィルムの左側縁部のシーラントフィルム面と右側縁部のシーラントフィルム面とを合わせて熱融着してサイドシール部を形成したのち、このサイドシール部に上端から下端に至る縦のキズ孔あけ加工を施して、上端縁部を熱融着してトップシール部を形成し、下端縁部を熱融着してボトムシール部を形成し、かつトップシール部とボトムシール部との間の所定位置に、横方向に又は部分的に横方向並行に熱融着して中間シール部を形成するものである。そして、トップシール部と中間シール部間に、外側にラベル又は印刷で内容物を表示する内容物表示部を設け、中間シール部とボトムシール部との間に固形内容物を収納する内容物収納部を設け、中間シール部の上端又は下端近傍位置で折り曲げ可能に設けるものである。
【００２６】
基材フィルム、易カット性のシーラントフィルム、背シールの縦のキズ孔あけ加工については、実施形態５の易カット性包装袋と同様である。
【実施例】
【００２７】
以下に、本発明の具体的実施例について説明する。
【００２８】
＜実施例１＞
厚さ２０μｍの二軸延伸ポリプロピレンフィルムに文字・絵柄印刷を行い、同時に流れと垂直方向にミシン目を入れた。この印刷及びミシン目を施した二軸延伸ポリプロピレンフィルムに、ポリエステル系のドライラミネート接着剤をドライで３ｇ／ｍ2 塗布し、その上に厚さ５０μｍの易カット性ポリエチレンフィルム（フタムラ化学ＬＬ−ＭＴＮＳＴ）を重ねて圧着し、乾燥オーブンで溶剤を飛ばして、４０℃２日エージングして接着剤を固化させて積層フィルムを得た。次に、横ピロー包装機にて、背シールをした後、ボトムシール、シリンジ（内容物）充填、中間シール、トップシールの順でヒートシールして、実施例１の易カット性包装袋を得た。そして、中間シール上端で折り曲げて、文字・絵柄印刷した内容物表示部（１２０）を上にして、図６に示すように、５袋づつ箱（３００）に入れて流通・保管させたのち、箱の蓋（３２１）を開けると、内容物表示部（１２０）の印刷（１２１）により箱本体（３１０）に収納されている易カット性包装袋（１００）の中身が何であるか、取り出さなくても認識することが出来た。なを、包装袋の破袋は見られなかった。また、開封性が良好であり、内容物のシリンジが取り出し易く、廃棄処理性も良好であった。
【００２９】
＜実施例２＞
厚さ２５μｍの横方向易カット性二軸延伸ポリプロピレンフィルム（東洋紡ＹＴ４２）に文字・絵柄印刷を行い、この印刷を施した二軸延伸ポリプロピレンフィルムの印刷面側に、ポリエステル系のドライラミネート接着剤をドライで３ｇ／ｍ2 塗布し、その上に厚さ５０μｍの易カット性ポリエチレンフィルム（フタムラ化学ＬＬ−ＭＴＮＳＴ）を重ねて圧着し、乾燥オーブンで溶剤を飛ばして、４０℃２日エージングして接着剤を固化させて積層フィルムを得た。次に、この積層フィルムを所定巾にスリットし、その両側サイドに巾１．７５ｍｍのキズ孔あけ加工（マジックカット）を施して巻き取ってピロー包装用フィルムを得た。次に、横ピロー包装機にて、ボトムシール、シリンジ（内容物）充填、中間シール、トップシールの順でヒートシールして、実施例２の易カット性包装袋を得た。そして、中間シール上端で折り曲げて、文字・絵柄印刷した内容物表示部（１２０）を上にして、図６に示すように、５袋づつ箱（３００）に入れて流通・保管させたのち、箱の蓋（３２１）を開けると、内容物表示部（１２０）の印刷（１２１）により箱本体（３１０）に収納されている易カット性包装袋（１００）の中身が何であるか、取り出さなくても認識することが出来た。なを、包装袋の破袋は見られなかった。また、開封性が良好であり、内容物のシリンジが取り出し易く、廃棄処理性も良好であった。
【００３０】
＜実施例３＞
厚さ２５μｍの横方向易カット性二軸延伸ポリプロピレンフィルム（東洋紡ＹＴ４２）のポリエチレンフィルムと貼り合わせる面に文字・絵柄印刷を行い、その反対面にヒートシールニスを部分的に塗布した。更に、背シール部に該当する部分に、１０ｍｍ巾でキズ加工を流れ方向へエンドレスに施した。この印刷及びニスを塗布しキズ加工した横方向易カット性二軸延伸ポリプロピレンフィルムに、ポリエステル系のドライラミネート接着剤をドライで３ｇ／ｍ2 塗布し、その上に厚さ５０μｍの易カット性ポリエチレンフィルム（フタムラ化学ＬＬ−ＭＴＮＳＴ）を重ねて圧着し、乾燥オーブンで溶剤を飛ばして、４０℃２日エージングして接着剤を固化させて積層フィルムを得た。次に、この積層フィルムを所定巾にスリットし、その両側サイドに巾６ｍｍのキズ孔あけ加工（マジックカット
）を施して巻き取ってピロー包装用フィルムを得た。次に、横ピロー包装機にて、１０ｍｍ巾の背シールをした後、ボトムシール、シリンジ（内容物）充填、変形中間シール、トップシールの順でヒートシールして、実施例３の易カット性包装袋を得た。なお，変形中間シールの袋の両端部に、インラインで開封用ノッチを入れた。そして、中間シール上端で折り曲げて、文字・絵柄印刷した内容物表示部（１２０）を上にして、図６に示すように、５袋づつ箱（３００）に入れて流通・保管させたのち、箱の蓋（３２１）を開けると、内容物表示部（１２０）の印刷（１２１）により箱本体（３１０）に収納されている易カット性包装袋（１００）の中身が何であるか、取り出さなくても認識することが出来た。なを、包装袋の破袋は見られなかった。また、開封性が良好であり、内容物のシリンジが取り出し易く、廃棄処理性も良好であった。
【００３１】
＜実施例４＞
厚さ２５μｍの横方向易カット性二軸延伸ポリプロピレンフィルム（東洋紡ＹＴ４２）のポリエチレンフィルムと貼り合わせる面に文字・絵柄印刷を行い、その反対面にヒートシールニスを部分的に塗布した。この印刷及びニスを塗布しキズ加工した横方向易カット性二軸延伸ポリプロピレンフィルムに、ポリエステル系のドライラミネート接着剤をドライで３ｇ／ｍ2 塗布し、その上に厚さ５０μｍの易カット性ポリエチレンフィルム（フタムラ化学ＬＬ−ＭＴＮＳＴ）を重ねて圧着し、乾燥オーブンで溶剤を飛ばして、４０℃２日エージングして接着剤を固化させて積層フィルムを得た。次に、この積層フィルムを所定巾にスリットし、その両側サイドに巾６ｍｍのキズ孔あけ加工（マジックカット）を施して巻き取ってピロー包装用フィルムを得た。次に、横ピロー包装機にて、キズ加工部分を１０ｍｍ巾でサイドシールした後、ボトムシール、シリンジ（内容物）充填、変形中間シール、トップシールの順でヒートシールして、実施例４の易カット性包装袋を得た。そして、中間シール上端で折り曲げて、文字・絵柄印刷した内容物表示部（１２０）を上にして、図６に示すように、５袋づつ箱（３００）に入れて流通・保管させたのち、箱の蓋（３２１）を開けると、内容物表示部（１２０）の印刷（１２１）により箱本体（３１０）に収納されている易カット性包装袋（１００）の中身が何であるか、取り出さなくても認識することが出来た。なを、包装袋の破袋は見られなかった。また、開封性が良好であり、内容物のシリンジが取り出し易く、廃棄処理性も良好であった。
【図面の簡単な説明】
【００３２】
【図１】本発明の一実施形態の易カット性包装袋の正面図である。
【図２】本発明の他の一実施形態の易カット性包装袋の正面図である。
【図３】本発明の他の一実施形態の易カット性包装袋の正面図である。
【図４】本発明の他の一実施形態の易カット性包装袋の正面図である。
【図５】本発明の他の一実施形態の易カット性包装袋の正面図である。
【図６】箱の蓋を開けたときに、易カット性包装袋の内容物表示部のラベル又は印刷が上方から見える状態を示す説明図である。
【符号の説明】
【００３３】
１００……易カット性包装袋
１０１……トップシール部
１０２……中間シール部
１０３……ボトムシール部
１０４……背シール部
１０５……サイドシール部
１０６……ミシン目
１０７……開封用ノッチ
１１０……内容物収納部
１２０……内容物表示部
１２１……ラベル又は印刷
２００……固形内容物
３００……箱
３１０……箱本体
３２０……箱の蓋
【図１】
2007210633.tif 000003
【図２】
2007210633.tif 000004
【図３】
2007210633.tif 000005
【図４】
2007210633.tif 000006
【図５】
2007210633.tif 000007
【図６】
2007210633.tif 000008